(57)【要約】      （修正有）【課題】展示体を損傷させることなく展示することができる展示パネルを提供する。【解決手段】磁性材料を含む金属性のパネル部であって、パネル表面とパネル表面の反対側に形成されたパネル裏面とを有し、展示体をパネル表面に載置するパネル部と、パネル裏面に連結されて前記パネル部を支持する支持フレームと、磁性材料を含み、パネル部と着脱可能な磁性保持体と、を備え、磁性保持体は、パネル部に取り付けられたときにパネル表面から突出して展示体ＥＸの下部を保持する。【選択図】図１
2016043031.tif 000002
【特許請求の範囲】
【請求項１】
磁性材料を含む金属性のパネル部であって、パネル表面と前記パネル表面の反対側に形成されたパネル裏面とを有し、展示体を前記パネル表面に載置するパネル部と、
前記パネル裏面に連結されて前記パネル部を支持する支持フレームと、
前記パネル部と着脱可能な磁性材料を含む磁性保持体と、を備え、
前記磁性保持体は、前記パネル部に取り付けられたときに前記パネル表面から突出して前記展示体の下部を保持する展示パネル。
【請求項２】
前記パネル部と別体のエクステンションパネルであって、前記パネル部に連結して前記パネル部から延出可能なエクステンションパネルをさらに備える請求項１に記載の展示パネル。
【請求項３】
前記支持フレームは、
離隔した位置で互いに向かい合い、上端部と下端部とを有する２つの脚部と、
前記２つの脚部の上端部を接続する上端保持体と、
前記２つの脚部の下端部を接続する下端保持体と、を有し、
前記２つの脚部の上端部は、前記パネル裏面に連結され、
前記支持フレームは、前記パネル部を立てた状態で支持する請求項１に記載の展示パネル。
【請求項４】
前記パネル部と前記支持フレームとの間の角度を保持するための角度保持体を、さらに備え、
前記角度保持体は、前記パネル裏面の下端部と、前記下端保持体との間に配置される請求項３に記載の展示パネル。
【請求項５】
前記パネル部と前記支持フレームとが載置される載置台に固定するための固定部材を、さらに備え、
前記固定部材は、前記下端保持体を係止する請求項３に記載の展示パネル。
【請求項６】
前記パネル表面が布によって被覆された請求項１に記載の展示パネル。
【請求項７】
前記パネル部は、前記パネル表面が斜め上方向に向かうように前記支持フレームによって支持され、
前記展示体を前記パネル表面に沿って伸展させた状態で保持する請求項１に記載の展示パネル。
【発明の詳細な説明】
【技術分野】
【０００１】
本発明は、絵画などの展示体を展示するための展示パネルに関する。
【背景技術】
【０００２】
展示体を展示するための展示パネルの一例として、永久磁石を用いて展示体を保持して展示することができる展示パネル（掛け軸）が知られている（たとえば、特許文献１参照）。
【０００３】
この展示パネルには複数の永久磁石が織り込まれており、スチール板などを介して展示体を展示パネルに保持していた。この展示パネルは、展示体の裏面にスチール板を貼り付けて展示体を展示パネルに保持したり、スチール板が貼り付けられた透明な袋に展示体を入れて展示パネルに展示体を保持したりするものであった。
【先行技術文献】
【特許文献】
【０００４】
【特許文献１】特開２００６−５７８号公報
【発明の概要】
【発明が解決しようとする課題】
【０００５】
上述したように、展示体は、スチール板を介して展示パネルの複数の永久磁石に吸着される。このため、展示体の位置を調整したり、展示パネルから展示体を外したりするような場合には、スチール板だけでなく展示体にも力を加えざるを得ず、展示体を損傷させる可能性があった。
【０００６】
本発明は、上述の点に鑑みてなされたものであり、その目的とするところは、展示体を損傷させることなく展示することができる展示パネルを提供する。
【課題を解決するための手段】
【０００７】
本発明の第１の実施態様は、
磁性材料を含む金属性のパネル部であって、パネル表面と前記パネル表面の反対側に形成されたパネル裏面とを有し、展示体を前記パネル表面に載置するパネル部と、
前記パネル裏面に連結されて前記パネル部を支持する支持フレームと、
前記パネル部と着脱可能な磁性材料を含む磁性保持体と、を備え、
前記磁性保持体は、前記パネル部に取り付けられたときに前記パネル表面から突出して前記展示体の下部を保持するように構成される。
【０００８】
前記磁性保持体は、磁性材料を含み、パネル部と着脱可能である。この磁性保持体が、パネル部に取り付けられたときには、パネル表面から突出する。そして、パネル表面から突出した磁性保持体によって、パネル表面に載置された展示体の下部が保持される。このようにすることで、前記磁性保持体が展示体の下部から支えるので、展示体をパネル表面に押さえつけることなく載置することができ、展示体を損傷させずに展示体を展示することができる。
【０００９】
本発明の第２の実施態様は、さらに、
前記パネル部と別体のエクステンションパネルであって、前記パネル部に連結して前記パネル部から延出可能なエクステンションパネルをさらに備えるように構成される。
【００１０】
パネル部から延出可能なエクステンションパネルをパネル部に取り付けることができる。エクステンションパネルを取り付けることによって、展示パネルの全体の長さを長くすることができる。展示体の長さがパネル部よりも長い場合でも、展示パネルを長くすることによって、展示パネルに沿って展示体を配置することができ、展示体を安定的に展示パネルに取り付けることができる。
【００１１】
本発明の第３の実施態様は、さらに、
前記支持フレームは、
離隔した位置で互いに向かい合い、上端部と下端部とを有する２つの脚部と、
前記２つの脚部の上端部を接続する上端保持体と、
前記２つの脚部の下端部を接続する下端保持体と、を有し、
前記２つの脚部の上端部は、前記パネル裏面に連結され、
前記支持フレームは、前記パネル部を立てた状態で支持するように構成される。
【００１２】
支持フレームは、２つの脚部と、２つの脚部を連結する上端保持体及び下端保持体とによって形成されるので、支持フレームに加わった力を適宜に分散することができ、支持フレームの全体の剛性を高めることができる。剛性を高めることで、支持フレームに荷重が加わっても変形しにくくできる。パネル部が立てられた状態で展示パネルに重い展示体が取り付けられても、支持フレームによって展示パネルを安定的に支持することができる。
【００１３】
本発明の第４の実施態様は、さらに、
前記パネル部と前記支持フレームとの間の角度を保持するための角度保持体を、さらに備え、
前記角度保持体は、前記パネル裏面の下端部と、前記下端保持体との間に配置されるように構成される。
【００１４】
角度保持体によって、パネル部と支持フレームとの間の角度を保持することができる。パネル部と支持フレームとの間の角度を保持できるので、パネル部と支持フレームとの開放状態が変化することを防止でき、展示パネルの設置状態を安定にすることができ、展示パネルの転倒などによって展示体が破損することを防止できる。
【００１５】
本発明の第５の実施態様は、さらに、
前記パネル部と前記支持フレームとが載置される載置台に固定するための固定部材を、さらに備え、
前記固定部材は、前記下端保持体を係止するように構成される。
【００１６】
固定部材によって展示パネルを載置台に固定することができるので、展示パネルを載置台に安定して配置することができる。展示体が重い場合でも展示体を安定して展示することができる。また、地震などの外部からの振動や衝撃が載置台に加えられても、展示パネルを安定化させることができ、展示パネルの転倒などによって展示体が破損することを防止できる。
【００１７】
本発明の第６の実施態様は、さらに、
前記パネル表面が布によって被覆されているように構成される。
【００１８】
パネル表面が布によって被覆されているので、展示体が金属性のパネル部に接触しない状態を保持できるため、例えば、結露などでパネル表面に湿気が生じた場合でも、布によって湿気を吸収することで、展示体が湿気で痛み劣化することを防止することができる。
【００１９】
本発明の第７の実施態様は、さらに、
前記パネル部は、前記パネル表面が斜め上方向に向かうように前記支持フレームによって支持され、
前記展示体を前記パネル表面に沿って伸展させた状態で保持するように構成される。
【００２０】
パネル部は、パネル表面が斜め上方向に向かうように支持フレームによって支持されるので、展示体の全面をパネル表面によって支持することができ、展示体の自重をパネル部に分散させることができ、展示体が自重によって破損することを防止することができる。
【発明の効果】
【００２１】
展示体を損傷させることなく展示体を展示パネルに載置して展示することができる。
【図面の簡単な説明】
【００２２】
【図１】展示体ＥＸを展示パネル１０に吊設した展示状態を示す斜視図である。
【図２】展示パネル１０の表側を示す斜視図である。
【図３】展示パネル１０の裏側を示す斜視図である。
【図４】目隠しパネル６００を外した状態の展示パネル１０の裏側を示す斜視図である。
【図５】パネルフレーム体１１０の構成を示す斜視図である。
【図６】パネル体１２０を示す斜視図である。
【図７】４枚のパネル１３０とパネル１４０とパネル１５０とパネル１６０を示す斜視図である。
【図８】エクステンション４００の表面（ａ）と裏面（ｂ）とを示す斜視図である。
【図９】ピクチャーフレーム３００の概要を示す斜視図である。
【図１０】支持フレーム２００の構成を示す斜視図である。
【図１１】支持フレーム２００のパネルフレーム体１１０への取り付け構造を示す斜視図である。
【図１２】展示体支え５００の斜視図（ａ）と取り付け状態の断面図（ｂ）である。
【図１３】展示体支え５００を展示パネル１０に取り付けて展示体ＥＸを支持する状態を示す斜視図である。
【図１４】角度調整パーツ７００の全体を示す斜視図である。
【図１５】角度調整パーツ７００と固定用ブラケット８００との取り付け構造を示す斜視図である。
【図１６】固定用ブラケット８００の全体を示す斜視図である。
【図１７】載置パネル１００の展示状態と見学者との位置を示す概略図である。
【発明を実施するための形態】
【００２３】
＜＜＜＜本実施の形態の展示パネルの概略＞＞＞＞
図１は、本実施の形態の展示パネル１０の展示状態の正面を示す斜視図である。
【００２４】
本実施の形態の展示パネル（たとえば、後述する展示パネル１０など）は、
磁性材料を含む金属性のパネル部（たとえば、後述する載置パネル１００やパネル体１２０やパネル１３０〜１６０など）であって、パネル表面（たとえば、後述するパネル体１２０の表面１２２など）と前記パネル表面の反対側に形成されたパネル裏面（たとえば、後述すパネル体１２０の裏面１２４など）とを有し、展示体（たとえば、後述する展示体ＥＸなど）を前記パネル表面に載置するパネル部と、
前記パネル裏面に連結されて前記パネル部を支持する支持フレーム（たとえば、後述する支持フレーム２００など）と、
前記パネル部と着脱可能な磁性材料（たとえば、後述する永久磁石５１０など）を含む磁性保持体（たとえば、後述する展示体支え５００など）と、を備え、
磁性材料を含み、前記パネル部と着脱可能な磁性保持体（たとえば、後述する展示体支え５００など）と、を備え、
前記磁性保持体は、前記パネル部に取り付けられたときに前記パネル表面から突出して前記展示体の下部を保持する。
【００２５】
展示パネルは、パネル部と、支持フレームと、磁性保持体とを備える。
【００２６】
パネル部は、磁性材料を含む金属性である。パネル部は、薄板状の形状を有することが好ましい。パネル部は、磁性材料を含む金属性であるので、永久磁石などを吸着することができる。パネル部は、たとえば、鉄などの材料からなる。パネル部は、パネル表面とパネル裏面とを有する。パネル表面に展示体が取り付けられる。具体的には、展示体は、パネル表面に沿って伸展させた状態で保持される。展示体は、美術館などで見学者に視認させるための媒体であり、絵画などの紙や繊維などからなることができる。展示体は、絵画などであるので、パネル表面上に配置する必要があり、パネル表面に伸展されて展示状態となる。
【００２７】
支持フレームは、パネル部のパネル裏面に連結されて、パネル部を支持する。さらに、支持フレームは、パネル部が所定の角度で傾いた状態を維持してパネル部を支持することが好ましい。具体的には、パネル表面が斜め上方向に向かうようにパネル部は傾斜するようにすることが好ましい。
【００２８】
支持フレームは、パネル表面が斜め上方向に向かうようにパネルを支持するので、パネル部を傾けた分、展示体を見学者に近づけることができるとともに、展示体を見学者の視線に向けるため、見学者は展示体を視認しやすくできる。
【００２９】
磁性保持体は、パネル部と着脱可能な磁性材料を含む。たとえば、磁性保持体は、永久磁石などからなる。磁性保持体は、パネル部に吸着されて着脱可能に取り付けられることができる。磁性保持体は、パネル部に取り付けられたときには、パネル部から突出する。パネル表面から突出した磁性保持体によって、パネル表面に載置された展示体の下部が保持される。このようにすることで、展示体の下部から支えるので、展示体をパネル表面に押さえつけることなく載置することができ、展示体を損傷させずに展示体を展示することができる。
【００３０】
また、パネル部から突出した磁性保持体によって、吊設された展示体の下部を保持することができる。磁性保持体は、展示体の下部を保持するので、展示体を持ち上げるような状態で展示体を支持することができ、展示体の自重によって展示体が損傷することを防止できる。
【００３１】
本実施の形態の展示パネルは、さらに、
前記パネル部と別体のエクステンションパネルであって、前記パネル部に連結して前記パネル部から延出可能なエクステンションパネル（たとえば、後述するエクステンション４００など）をさらに備える。
【００３２】
パネル部から延出可能なエクステンションパネルをパネル部に取り付けることができる。エクステンションパネルを取り付けることによって、展示パネルの全体の長さを長くすることができる。展示体の長さがパネル部よりも長い場合でも、展示パネルを長くすることによって、展示パネルに沿って展示体を配置することができ、展示体を安定的に展示パネルに取り付けることができる。
【００３３】
本実施の形態の展示パネルは、さらに、
前記支持フレームが、
離隔した位置で互いに向かい合い、上端部と下端部とを有する２つの脚部（たとえば、後述する２本の脚体２１０ａ及び２１０ｂなど）と、
前記２つの脚部の上端部を接続する上端保持体（たとえば、後述する第１の連結体２２０ａなど）と、
前記２つの脚部の下端部を接続する下端保持体（たとえば、後述する第２の連結体２２０ｂなど）と、を有し、
前記２つの脚部の上端部は、前記パネル裏面に連結され（たとえば、後述する取り付け部１７０ａ及び１７０ｂ、並びに貫通孔２１２ａ及び２１２ｂなど）、
前記支持フレームは、前記パネル部を立てた状態で支持する。
【００３４】
支持フレームは、２つの脚部と、２つの脚部を連結する上端保持体及び下端保持体とによって形成されるので、支持フレームに加わった力を適宜に分散することができ、支持フレームの全体の剛性を高めることができる。剛性を高めることで、支持フレームに荷重が加わっても変形しにくくできる。パネル部が立てられた状態で展示パネルに重い展示体が取り付けられても、支持フレームによって展示パネルを安定的に支持することができる。
【００３５】
本実施の形態の展示パネルは、さらに、
前記パネル部と前記支持フレームとの間の角度を保持するための角度保持体（たとえば、後述する角度調整パーツ７００など）を、さらに備え、
前記角度保持体は、前記パネル裏面の下端部（たとえば、後述する中央パネルフレーム１１２ｅの下端部など）と、前記下端保持体（たとえば、後述する第３の連結体２２０ｃなど）との間に配置される。
【００３６】
角度保持体は、パネル裏面の下端部と、下端保持体との間に配置される。角度保持体は、展示パネルの下部に配置されるので、展示パネルの重心の位置を低くすることができ、展示パネルをより安定化させることができる。
【００３７】
角度保持体によって、パネル部と支持フレームとの間の角度を保持することができる。パネル部と支持フレームとの間の角度を保持できるので、パネル部と支持フレームとの開放状態が変化することを防止でき、展示パネルの設置状態を安定にすることができ、展示パネルの転倒などによって展示体が破損することを防止できる。
【００３８】
本実施の形態の展示パネルは、さらに、
前記パネル部と前記支持フレームと載置される載置台に固定するための固定部材（たとえば、後述する固定用ブラケット８００など）を、さらに備え、
前記固定部材は、前記下端保持体を係止する。
【００３９】
固定部材によって展示パネルを載置台に固定することができるので、載置台に展示パネルを安定して配置することができる。展示体が重い場合でも展示体を安定して展示することができる。また、地震などの外部からの振動や衝撃が載置台に加えられても、展示パネルを安定化させることができ、展示パネルの転倒などによって展示体が破損することを防止できる。
【００４０】
本実施の形態の展示パネルは、さらに、
前記パネル表面が布（たとえば、後述するクロスＣなど）によって被覆されたことである。
【００４１】
パネル表面が布によって被覆されているので、結露などでパネル表面に湿気が生じた場合でも、布によって湿気を吸収することで、展示体が湿気で痛むことを防止することができる。また、パネル表面が布によって被覆されているので、金属性のパネル部に展示体が直接接触しないようにでき、金属との接触で展示体が破損することを防止することができる。
【００４２】
本実施の形態の展示パネルは、さらに、
前記パネル部は、前記パネル表面が斜め上方向に向かうように前記支持フレームによって支持され、
前記展示体を前記パネル表面に沿って伸展させた状態で保持する。
【００４３】
パネル部は、パネル表面が斜め上方向に向かうように支持フレームによって支持されるので、展示体の全面をパネル表面によって支持することができ、展示体の自重をパネル部に分散させることができ、展示体が自重によって破損することを防止することができる。
【００４４】
＜＜＜展示パネル１０＞＞＞
図１は、展示体ＥＸを展示パネル１０に吊設した展示状態を示す斜視図である。なお、図１は、エクステンション４００を設けた状態を示す。図２は、展示パネル１０の表側を示す斜視図である。図３は、展示パネル１０の裏側を示す斜視図である。図４は、目隠しパネル６００を外した裏側の状態を示す斜視図である。
【００４５】
図１、図２、図３及び図４に示すように、展示パネル１０は、主に、載置パネル１００と支持フレーム２００と展示体支え５００と目隠しパネル６００と角度調整パーツ７００と固定用ブラケット８００とを有する。
【００４６】
＜＜載置パネル１００＞＞
図２は、展示パネル１０の表側を示す斜視図である。図３は、展示パネル１０の裏側を示す斜視図である。図４は、目隠しパネル６００を外した裏側の状態を示す斜視図である。
【００４７】
載置パネル１００は、パネルフレーム体１１０とパネル体１２０とを含む。
【００４８】
＜パネルフレーム体１１０＞
図５は、パネルフレーム体１１０の構成を示す斜視図である。パネルフレーム体１１０は、後述するパネル体１２０（パネル１３０〜１６０）を一定の位置に配置するためのフレームである。
【００４９】
パネルフレーム体１１０は、５本の上パネルフレーム１１２ａと下パネルフレーム１１２ｂと右パネルフレーム１１２ｃと左パネルフレーム１１２ｄと中央パネルフレーム１１２ｅとからなる。本明細書では、これらの５本のパネルフレーム１１２ａ〜１１２ｅを特に区別する必要がない場合には、単にパネルフレーム１１２と称する。
【００５０】
パネルフレーム１１２は、長尺で断面が四角形の四角柱パイプからなる。中空にすることで、パネルフレーム１１２を軽くすることができる。パネルフレーム１１２は、アルミなどの金属や、プラスチックの樹脂や、木材などからなる。パネルフレーム１１２は、剛性が高く撓みにくく腐食しにくい材料から構成されればよい。
【００５１】
図５に示すように、パネルフレーム体１１０は、外形が長方形状の形状を有する。４本の上パネルフレーム１１２ａと下パネルフレーム１１２ｂと右パネルフレーム１１２ｃと左パネルフレーム１１２ｄとによってパネルフレーム体１１０の外形を構成する。
【００５２】
上パネルフレーム１１２ａの右端部に右パネルフレーム１１２ｃの上端部が連結される。上パネルフレーム１１２ａの左端部に左パネルフレーム１１２ｄの上端部が連結される。下パネルフレーム１１２ｂの右端部に右パネルフレーム１１２ｃの下端部が連結される。下パネルフレーム１１２ｂの左端部に左パネルフレーム１１２ｄの下端部が連結される。パネルフレーム１１２同士の連結は、ネジの締結や溶接などによって互いに固定するものや、フックなどによって互いに掛止するものなどにできる。
【００５３】
上パネルフレーム１１２ａは、水平方向に配置され、パネルフレーム体１１０の上側の辺を構成する。下パネルフレーム１１２ｂは、水平方向に配置され、パネルフレーム体１１０の下側の辺を構成する。上パネルフレーム１１２ａと下パネルフレーム１１２ｂとは平行であり互いに向かい合って配置される。
【００５４】
右パネルフレーム１１２ｃは、おおよそ鉛直方向に配置され、パネルフレーム体１１０の右側の辺を構成する。左パネルフレーム１１２ｄは、おおよそ鉛直方向に配置され、パネルフレーム体１１０の左側の辺を構成する。右パネルフレーム１１２ｃと左パネルフレーム１１２ｄとは平行であり互いに向かい合って配置される。
【００５５】
中央パネルフレーム１１２ｅは、おおよそ鉛直方向に配置される。中央パネルフレーム１１２ｅの上端部は、上パネルフレーム１１２ａの中央部に連結される。中央パネルフレーム１１２ｅの下端部は、下パネルフレーム１１２ｂの中央部に連結される。上述したように、パネルフレーム１１２同士の連結は、ネジの締結や溶接などによって互いに固定するものや、フックなどによって互いに掛止するものなどにできる。中央パネルフレーム１１２ｅは、右パネルフレーム１１２ｃ及び左パネルフレーム１１２ｄと平行である。
【００５６】
＜パネル体１２０＞
図６は、パネル体１２０を示す斜視図である。図７は、パネル体１２０を構成する４枚のパネル１３０とパネル１４０とパネル１５０とパネル１６０を示す斜視図である。
【００５７】
図６及び図７に示すように、パネル体１２０は、４枚のパネル１３０とパネル１４０とパネル１５０とパネル１６０とからなる。パネル１３０は、パネルフレーム体１１０の最も上に取り付けられる。パネル１４０は、パネル１３０の下側にパネルフレーム体１１０に取り付けられる。パネル１５０は、パネル１４０の下側にパネルフレーム体１１０に取り付けられる。パネル１６０は、パネルフレーム体１１０の最も下に取り付けられる。
【００５８】
パネル１３０は、表面１３２（おもて面１３２）と裏面１３４とを有する。パネル１４０は、表面１４２（おもて面１４２）と裏面１４４とを有する。パネル１５０は、表面１５２（おもて面１５２）と裏面１５４とを有する。パネル１６０は、表面１６２（おもて面１６２）と裏面１６４とを有する。
【００５９】
パネル１３０の表面１３２とパネル１４０の表面１４２とパネル１５０の表面１５２とパネル１６０の表面１６２とによって、パネル体１２０の表面１２２が構成される。パネル１３０の裏面１３４とパネル１４０の裏面１４４とパネル１５０の裏面１５４とパネル１６０の裏面１６４とによって、パネル体１２０の裏面１２４が構成される。なお、本実施の形態で、主として、表とは見学者が視認できる側や、展示体ＥＸが設けられる側であり、裏とは見学者が視認できない側や視認しにくい側である。
【００６０】
パネル１３０〜１６０は、薄く平板状に形成された金属板Ｍ（図７参照）と、金属板Ｍの表面を覆うクロスＣ（図２参照）とからなる。本実施の形態では、金属板Ｍは、強磁性を有するものが好ましい。パネル１３０〜１６０に強磁性を有する金属板Ｍを用いることによって、永久磁石をパネル１３０〜１６０に吸着させることができる。
【００６１】
クロスＣは、金属板Ｍを覆うように貼設されている。クロスＣは、パネル１３０の表面１３２とパネル１４０の表面１４２とパネル１５０の表面１５２とパネル１６０の表面１６２とに貼設されていればよく、パネル１３０の裏面１３４とパネル１４０の裏面１４４とパネル１５０の裏面１５４とパネル１６０の裏面１６４とに貼設される必要はない。
【００６２】
金属板Ｍを覆うようにクロスＣを貼設することによって、結露などで金属板Ｍに湿気が生じた場合でも、クロスＣによって湿気を吸収することで、展示体ＥＸが湿気で痛み劣化することを防止することができる。また、展示体ＥＸが金属板Ｍに直接に接触することを妨げ、展示体ＥＸが痛むことを防止することができる。このように、クロスＣの貼設によって展示体ＥＸを保護することができる。展示体ＥＸとしては、各種の材料からなるものが想定されるが、紙、特に古い和紙なども想定される。古い材料からなる展示体ＥＸも、クロスＣによって保護することができる。
【００６３】
クロスＣは、耐久性及び可撓性を有するとともに、変質しにくくかつ伸張しにくい繊維が好ましい。地震などによってなんらかの振動が展示体ＥＸに印加された場合でも、クロスＣが振動を吸収して、展示体ＥＸが金属板Ｍやパネル１３０〜１６０に強く衝突しないようにできる。
【００６４】
クロスＣは、パネル１３０〜１６０に接着剤によって貼設される。クロスＣが接着剤によって貼設された後、接着剤は十分に乾燥される。接着剤を十分に乾燥させることによって、十分に脱気や脱泡させることができ、接着剤の各種の成分による展示体ＥＸへの影響を保護することができる。接着剤は、展示体ＥＸに与える影響が少なく、かつ、脱気や脱泡のために要する時間について事前に調査されたものを用いればよい。
【００６５】
パネル１３０は、おおよそ四角形の形状を有する。パネル１３０の４つの辺の各々は、おおよそ９０度に裏側に向かって折り曲げられている。折り曲げられた部分は、パネル１３０の各辺に沿って形成され長尺な形状を有する。折り曲げられた部分によって取り付け辺１３６ａ、１３６ｂ、１３６ｃ、１３６ｄを構成する。取り付け辺１３６ａ、１３６ｂ、１３６ｃ、１３６ｄは、おおよそ一定の幅を有する。幅は、パネルフレーム体１１０の幅とおおよそ同じである。
【００６６】
取り付け辺１３６ａは、パネル１３０の上側の辺に沿って形成されている。取り付け辺１３６ａは、上パネルフレーム１１２ａに取り付けられる。取り付け辺１３６ｂは、パネル１３０の下側の辺に沿って形成されている。取り付け辺１３６ｂは、後述するパネル１４０の取り付け辺１４６ａに取り付けられる。取り付け辺１３６ｃは、パネル１３０の右側の辺に沿って形成されている。取り付け辺１３６ｃは、右パネルフレーム１１２ｃに取り付けられる。取り付け辺１３６ｄは、パネル１３０の左側の辺に沿って形成されている。取り付け辺１３６ｄは、左パネルフレーム１１２ｄに取り付けられる。
【００６７】
取り付け辺１３６ｂの中央部には、凹部が形成されている。パネル１３０をパネルフレーム体１１０に取り付けたときには、中央パネルフレーム１１２ｅが凹部を通過する。凹部を形成したことにより、中央パネルフレーム１１２ｅが取り付け辺１３６ｂと干渉することを防止することができる。
【００６８】
パネル１４０は、おおよそ四角形の形状を有する。パネル１４０の４つの辺の各々は、おおよそ９０度に裏側に向かって折り曲げられている。折り曲げられた部分は、パネル１４０の各辺に沿って形成され長尺な形状を有する。折り曲げられた部分によって取り付け辺１４６ａ、１４６ｂ、１４６ｃ、１４６ｄを構成する。取り付け辺１４６ａ、１４６ｂ、１４６ｃ、１４６ｄは、おおよそ一定の幅を有する。幅は、パネルフレーム体１１０の幅とおおよそ同じである。
【００６９】
取り付け辺１４６ａは、パネル１４０の上側の辺に沿って形成されている。取り付け辺１４６ａは、パネル１３０の取り付け辺１３６ｂに取り付けられる。取り付け辺１４６ｂは、パネル１４０の下側の辺に沿って形成されている。取り付け辺１４６ｂは、後述するパネル１５０の取り付け辺１５６ａに取り付けられる。取り付け辺１４６ｃは、パネル１４０の右側の辺に沿って形成されている。取り付け辺１４６ｃは、右パネルフレーム１１２ｃに取り付けられる。取り付け辺１４６ｄは、パネル１４０の左側の辺に沿って形成されている。取り付け辺１４６ｄは、左パネルフレーム１１２ｄに取り付けられる。
【００７０】
取り付け辺１４６ａ及び１４６ｂの中央部には、凹部が形成されている。パネル１４０をパネルフレーム体１１０に取り付けたときには、中央パネルフレーム１１２ｅが凹部を通過する。凹部を形成したことにより、中央パネルフレーム１１２ｅが取り付け辺１４６ａ及び１４６ｂと干渉することを防止することができる。
【００７１】
パネル１５０は、おおよそ四角形の形状を有する。パネル１５０の４つの辺の各々は、おおよそ９０度に裏側に向かって折り曲げられている。折り曲げられた部分は、パネル１５０の各辺に沿って形成され長尺な形状を有する。折り曲げられた部分によって取り付け辺１５６ａ、１５６ｂ、１５６ｃ、１５６ｄを構成する。取り付け辺１５６ａ、１５６ｂ、１５６ｃ、１５６ｄは、おおよそ一定の幅を有する。幅は、パネルフレーム体１１０の幅とおおよそ同じである。
【００７２】
取り付け辺１５６ａは、パネル１５０の上側の辺に沿って形成されている。取り付け辺１５６ａは、パネル１４０の取り付け辺１４６ｂに取り付けられる。取り付け辺１５６ｂは、パネル１５０の下側の辺に沿って形成されている。取り付け辺１５６ｂは、後述するパネル１６０の取り付け辺１６６ａに取り付けられる。取り付け辺１５６ｃは、パネル１５０の右側の辺に沿って形成されている。取り付け辺１５６ｃは、右パネルフレーム１１２ｃに取り付けられる。取り付け辺１５６ｄは、パネル１５０の左側の辺に沿って形成されている。取り付け辺１５６ｄは、左パネルフレーム１１２ｄに取り付けられる。
【００７３】
取り付け辺１５６ａ及び１５６ｂの中央部には、凹部が形成されている。パネル１５０をパネルフレーム体１１０に取り付けたときには、中央パネルフレーム１１２ｅが凹部を通過する。凹部を形成したことにより、中央パネルフレーム１１２ｅが取り付け辺１５６ａ及び１５６ｂと干渉することを防止することができる。
【００７４】
パネル１６０は、おおよそ四角形の形状を有する。パネル１６０の４つの辺の各々は、おおよそ９０度に裏側に向かって折り曲げられている。折り曲げられた部分は、パネル１６０の各辺に沿って形成され長尺な形状を有する。折り曲げられた部分によって取り付け辺１６６ａ、１６６ｂ、１６６ｃ、１６６ｄを構成する。取り付け辺１６６ａ、１６６ｂ、１６６ｃ、１６６ｄは、おおよそ一定の幅を有する。幅は、パネルフレーム体１１０の幅とおおよそ同じである。
【００７５】
取り付け辺１６６ａは、パネル１６０の上側の辺に沿って形成されている。取り付け辺１６６ａは、パネル１５０の取り付け辺１５６ｂに取り付けられる。取り付け辺１６６ｂは、パネル１６０の下側の辺に沿って形成されている。取り付け辺１６６ｂは、下パネルフレーム１１２ｂに取り付けられる。取り付け辺１６６ｃは、パネル１６０の右側の辺に沿って形成されている。取り付け辺１６６ｃは、右パネルフレーム１１２ｃに取り付けられる。取り付け辺１６６ｄは、パネル１６０の左側の辺に沿って形成されている。取り付け辺１６６ｄは、左パネルフレーム１１２ｄに取り付けられる。
【００７６】
取り付け辺１６６ａの中央部には、凹部が形成されている。パネル１６０をパネルフレーム体１１０に取り付けたときには、中央パネルフレーム１１２ｅが凹部を通過する。凹部を形成したことにより、中央パネルフレーム１１２ｅが取り付け辺１６６ａと干渉することを防止することができる。
【００７７】
上述したように、パネル１３０〜１６０をパネルフレーム１１２に取り付けることにより、パネル１３０の表面１３２とパネル１４０の表面１４２とパネル１５０の表面１５２とパネル１６０の表面１６２とによって、パネル体１２０の表面１２２を構成することができる。表面１２２を構成したときには、表面１３２と表面１４２との境界は密着し、表面１４２との表面１５２との境界は密着し、表面１５２と表面１６２との境界は密着するとともに、表面１３２と表面１４２と表面１５２と表面１６２との４つの面の間には段差が無く、表面１３２と表面１４２と表面１５２と表面１６２とによって平坦な一体的な面を形成することができる。後述するように、この表面１３２と表面１４２と表面１５２と表面１６２とによって形成される平坦な表面１２２に展示体ＥＸが載置される。
【００７８】
上述した例では、４枚のパネル１３０〜１６０によって載置パネル１００を形成する場合を示したが、パネルの枚数は４枚に限られない。
【００７９】
＜エクステンション４００＞
エクステンション４００は、展示パネル１０を長手方向に長くするための補助部材である。展示体ＥＸが長い場合であっても、エクステンション４００を取り付けることによって、展示体ＥＸが展示パネル１０から食み出ることなく取り付けることができる。展示体ＥＸの長さに応じて、エクステンション４００を取り付けることができる。エクステンション４００は、ピクチャーフレーム３００を介して取り付けられる。
【００８０】
エクステンション４００は、エクステンションフレーム体４１０とエクステンションパネル４２０とを有する。
【００８１】
エクステンションフレーム体４１０は、４本の上エクステンションフレーム４１２ａと下エクステンションフレーム４１２ｂと右エクステンションフレーム４１２ｃと左エクステンションフレーム４１２ｄとからなる。エクステンションフレーム体４１０は、おおよそ四角形の形状を有する。本明細書では、これらの４本のエクステンションフレーム４１２ａ〜４１２ｄを特に区別する必要がない場合には、単にエクステンションフレーム４１２と称する。エクステンションフレーム４１２は、パネルフレーム１１２と同様の材料で同様に構成されている。
【００８２】
上エクステンションフレーム４１２ａの右端部に右エクステンションフレーム４１２ｃの上端部が連結される。上エクステンションフレーム４１２ａの左端部に左エクステンションフレーム４１２ｄの上端部が連結される。下エクステンションフレーム４１２ｂの右端部に右エクステンションフレーム４１２ｃの下端部が連結される。下エクステンションフレーム４１２ｂの左端部に左エクステンションフレーム４１２ｄの下端部が連結される。エクステンションフレーム４１２同士の連結は、ネジの締結や溶接などによって互いに固定するものや、フックなどによって互いに掛止するものなどにできる。
【００８３】
エクステンションパネル４２０は、パネル体１２０と同じ構成を有する。具体的には、エクステンションパネル４２０は、パネル１３０〜１６０と同じ構成を有する。
【００８４】
エクステンションパネル４２０は、表面４２２（おもて面４２２）と裏面４２４とを有する。エクステンション４００が載置パネル１００に取り付けられたときには、パネル１３０の表面１３２とパネル１４０の表面１４２とパネル１５０の表面１５２とパネル１６０の表面１６２とエクステンションパネル４２０の表面４２２とによって、パネル体１２０の平坦な表面１２２が構成される。
【００８５】
エクステンションパネル４２０も、パネル１３０〜１６０と同様に、薄く平板状に形成された金属板Ｍと、金属板Ｍの表面を覆うクロスＣとからなる。金属板ＭとクロスＣとによって、エクステンションパネル４２０もパネル１３０〜１６０と同様の機能を有する。
【００８６】
エクステンションパネル４２０も、おおよそ四角形の形状を有する。エクステンションパネル４２０の４つの辺の各々は、おおよそ９０度に裏側に向かって折り曲げられている。折り曲げられた部分は、エクステンションパネル４２０の各辺に沿って形成され長尺な形状を有する。折り曲げられた部分によって取り付け辺４３６ａ、４３６ｂ、４３６ｃ、４３６ｄを構成する。取り付け辺４３６ａ、４３６ｂ、４３６ｃ、４３６ｄは、おおよそ一定の幅を有する。幅は、パネルフレーム体１１０の幅とおおよそ同じである。
【００８７】
取り付け辺４３６ａは、エクステンションパネル４２０の上側の辺に沿って形成されている。取り付け辺４３６ｂは、エクステンションパネル４２０の下側の辺に沿って形成されている。取り付け辺４３６ｃは、エクステンションパネル４２０の右側の辺に沿って形成されている。取り付け辺４３６ｄは、エクステンションパネル４２０の左側の辺に沿って形成されている。
【００８８】
取り付け辺４３６ｂは、ピクチャーフレーム３００を介して上パネルフレーム１１２ａに取り付けることができる。このようにして、エクステンションパネル４２０によって載置パネル１００を延長することができる。
【００８９】
＜ピクチャーフレーム３００＞
図９に示すように、ピクチャーフレーム３００は、長尺な形状を有する。ピクチャーフレーム３００は、上パネルフレーム１１２ａの長さと、下エクステンションフレーム４１２ｂの長さと同じ長さを有する。ピクチャーフレーム３００を間に挟んで、上パネルフレーム１１２ａと下エクステンションフレーム４１２ｂとを連結することができる。上パネルフレーム１１２ａに下エクステンションフレーム４１２ｂを連結することにより、エクステンション４００によって載置パネル１００を延長することができる。
【００９０】
上述した例では、１枚のエクステンション４００を載置パネル１００に取り付ける場合を示したが、ピクチャーフレーム３００介してエクステンション４００を順次に取り付け、所望する枚数のエクステンション４００を、展示体ＥＸの長さに応じて取り付けることができる。
【００９１】
＜＜支持フレーム２００＞＞
図２、図４及び図１０に示すように、載置パネル１００の裏面１２４に支持フレーム２００が取り付けられる。
【００９２】
支持フレーム２００は、２本の脚体２１０ａ及び２１０ｂと、２本の脚体を連結する３本の第１の連結体２２０ａ、第２の連結体２２０ｂ及び第３の連結体２２０ｃとを有する。
【００９３】
２本の脚体２１０ａ及び２１０ｂ、並びに２本の第１の連結体２２０ａ及び第２の連結体２２０ｂは、長尺で断面が四角形の四角柱パイプからなる。第３の連結体２２０ｃは、長尺で断面が円形の円柱パイプからなる。いずれも中空にすることで、支持フレーム２００を軽くすることができる。脚体２１０ａ及び２１０ｂ、並びに連結体２２０ａ〜２２０ｃは、アルミなどの金属や、プラスチックの樹脂や、木材などからなる。脚体２１０ａ及び２１０ｂ、並びに連結体２２０ａ〜２２０ｃは、剛性が高く撓みにくく腐食しにくい材料から構成されればよい。
【００９４】
脚体２１０ａ及び２１０ｂ、並びに連結体２２０ａ〜２２０ｃは、載置パネル１００を安定して支持できる程度の強度や剛性などを有すればよく、さらに軽量であれば支持フレーム２００の取り扱いを容易にすることができる。
【００９５】
２本の脚体２１０ａ及び２１０ｂは互いに離隔しかつ平行に配置される。第１の連結体２２０ａは、２本の脚体２１０ａ及び２１０ｂの上端部を連結する。第２の連結体２２０ｂは、２本の脚体２１０ａ及び２１０ｂの中間部を連結する。第３の連結体２２０ｃは、２本の脚体２１０ａ及び２１０ｂの下端部を連結する。連結体２２０ａ、連結体２２０ｂ及び連結体２２０ｃは互いに平行にかつ２本の脚体２１０ａ及び２１０ｂに対して直角に配置される。
【００９６】
２本の脚体２１０ａ及び２１０ｂと、第１の連結体２２０ａ及び第３の連結体２２０ｃとによって、支持フレーム２００は、全体として、外形が長方形状で、いわゆる梯子状の形状を有する。
【００９７】
図１０に示すように、脚体２１０ａの上端部には、貫通孔２１２ａが形成されている。脚体２１０ｂの上端部には、貫通孔２１２ｂが形成されている。
【００９８】
図１１に示すように、右パネルフレーム１１２ｃの上部には、取り付け部１７０ａが設けられている。なお、左パネルフレーム１１２ｄの上部にも、同様に、取り付け部１７０ｂ（図３及び図４参照）が設けられている。取り付け部１７０ａは、脚体２１０ａを脚体２１０ａの上端部で回転可能に支持し、取り付け部１７０ｂは、脚体２１０ｂを脚体２１０ｂの上端部で回転可能に支持するためのものである。
【００９９】
取り付け部１７０ａは、２枚の長尺な金属板１８０と１９０とからなる。金属板１８０は、Ｌ字状に折れ曲がった第１の端部１８０ａと第２の端部１８０ｂと、第１の端部１８０ａ及び第２の端部１８０ｂの間に中間１８２とを有する。金属板１９０は、金属板１８０よりも長い。金属板１９０は、Ｌ字状に折れ曲がった第１の端部１９０ａと第２の端部１９０ｂと、第１の端部１９０ａ及び第２の端部１９０ｂの間に中間１９２とを有する。
【０１００】
金属板１８０の第１の端部１８０ａと金属板１９０の第１の端部１９０ａとは互いに重ね合わされて右パネルフレーム１１２ｃに接合されている。金属板１９０は金属板１８０よりも長く、金属板１８０の第２の端部１８０ｂと金属板１９０の第２の端部１９０ｂとの間には間隙１７２が形成されている。間隙１７２は、脚体２１０ａの幅より若干大きく形成される。第２の端部１８０ｂには貫通孔１８４が形成され、第２の端部１９０ｂには、ネジ穴１９４が形成されている。脚体２１０ａの貫通孔２１２ａと、第２の端部１８０ｂの貫通孔１８４と、第２の端部１９０ｂのネジ穴１９４と連通するように脚体２１０ａを位置づけ、ネジ１７４をネジ穴に螺合することによって、脚体２１０ａを間隙１７２で回転可能な状態を維持して右パネルフレーム１１２ｃに着脱可能に取り付けることができる。
【０１０１】
取り付け部１７０ｂも同様の構成を有し、脚体２１０ｂを間隙１７２で回転可能な状態にして左パネルフレーム１１２ｄに着脱可能に取り付けることができる。このようにすることで、支持フレーム２００を載置パネル１００に対して回転可能にでき、載置パネル１００に対して支持フレーム２００を開いた状態にしたり閉じた状態にしたりすることができる。支持フレーム２００を載置パネル１００に対して開いた状態にすることで、展示体ＥＸを展示できる状態に展示パネル１０をすることができる。また、支持フレーム２００を載置パネル１００に対して閉じた状態にすることで、展示パネル１０を収納したり保管したり持ち運んだりしやすくできる。
【０１０２】
また、支持フレーム２００は載置パネル１００から着脱可能であるので、いずれかが破損した場合には、一方のみを交換すればよく、現場での対応を容易にすることができる。
【０１０３】
＜＜展示体支え５００＞＞
展示体支え５００は、おおよそ円柱状の外形を有する。展示体支え５００は、円筒状の側面５０２と、円形状の第１の底面５０４及び第２の底面５０６とを有する。展示体支え５００は、プラスチックなどの樹脂からなるものが好ましい。展示体ＥＸを的確に支持することができるとともに、展示体ＥＸと接触しても展示体ＥＸを破損させないようにできる。図１２（ａ）に示すように、展示体支え５００の第１の底面５０４に、永久磁石５１０が配置されている。図１２では、明瞭のために永久磁石５１０を透過して示した。
【０１０４】
永久磁石５１０はおおよそ円板状の外形を有する。永久磁石５１０の一方の底面がＮ極で、他方の底面Ｓ極である。永久磁石５１０のいずれかの底面が、展示体支え５００の第１の底面５０４の一部を構成する。展示体支え５００の第１の底面５０４は、パネル体１２０に吸着できるならば、永久磁石５１０のＳ極でもＮ極でもよい。
【０１０５】
展示体支え５００の第１の底面５０４を載置パネル１００に向けて配置することで、永久磁石５１０の磁力によって展示体支え５００を載置パネル１００に着脱可能に取り付けることができる。図１２（ｂ）に示すように、展示体支え５００を載置パネル１００に取り付けたときには、展示体支え５００は載置パネル１００からおおよそ垂直に延出する。
【０１０６】
図１２（ｂ）及び図１３に示すように、展示体支え５００の側面５０２が展示体ＥＸの下部ＥＢに当接するように、展示体支え５００を載置パネル１００に取り付ける。展示体支え５００を展示体ＥＸの下部ＥＢを若干持ち上げるように取り付けることで、展示体支え５００によって展示体ＥＸの下部ＥＢを支持することができる。展示体ＥＸの下部ＥＢを若干持ち上げるようにすることで、展示体ＥＸを展示したときに展示体ＥＸの自重によって展示体ＥＸが引き伸ばされて傷むことを防止できる。
【０１０７】
図１３に示した例では、２つの展示体支え５００によって展示体ＥＸの下部ＥＢを支持する。展示体支え５００の数は、展示体ＥＸの重量及び大きさや、永久磁石５１０の磁力や、見栄えなどによって適宜決定すればよい。展示体支え５００によって展示体ＥＸが若干持ち上げるように支持できればよい。
【０１０８】
上述した例では、展示体支え５００は、円筒状の側面５０２を有する場合を示したが、側面５０２の一部に平坦面を形成することが好ましい。側面５０２の一部に平坦面に展示体ＥＸの下部ＥＢに位置づけることによって、展示体ＥＸの下部ＥＢを安定的に支持することができる。展示体支え５００は、展示体ＥＸを破損させることなく支持できれば、三角柱や四角柱などの柱体でもよい。
【０１０９】
＜＜目隠しパネル６００＞＞
目隠しパネル６００は、支持フレーム２００を見学者から視認できないようにするためのパネルである。いわゆる目隠しのためのパネルである。美術館などでは、複数の展示体ＥＸが並設されている。このため、隣の展示体ＥＸが載置された載置パネル１００の支持フレーム２００を斜め方向から見学者が視認できる可能性がある。支持フレーム２００は、強度や剛性などを確保するため、美観を感じさせない可能性が高い。このため、美術館などにそぐわない外観となり得、目隠しパネル６００によって、支持フレーム２００の側部を覆うようにするのが好ましい。
【０１１０】
目隠しパネル６００は、おおよそ三角形状で薄板の形状を有する。三角形状にすることによって、支持フレーム２００のみならず、載置パネル１００と支持フレーム２００との間も覆うことができ、美観を高めることができる。
【０１１１】
目隠しパネル６００は、たとえば、ポリ塩化ビニルなどのプラスチックや、発泡スチロールなどの軽い樹脂によって形成されている。軽くすることによって目隠しパネル６００の着脱作業を容易にすることができる。目隠しパネル６００は、クロスが貼り付けられている。目隠しパネル６００にクロスを貼り付けることによって、目隠しパネル６００の美観を高めることができるとともに、目隠しパネル６００を強度を高めることができる。クロスの色は、展示体ＥＸの色や載置パネル１００の色や美術館の展示台Ｒなどに応じた色を選択することができる。目隠しパネル６００は、支持フレーム２００を覆うことができれば、金属製や木材製などであってもよい。
【０１１２】
目隠しパネル６００は、パネル体１２０の裏面１２４と当接する３箇所に、３つの当接片６１０ａ、６１０ｂ及び６１０ｃが設けられている。当接片６１０ａ、６１０ｂ及び６１０ｃは、長尺で断面がＬ字状の形状を有する。当接片６１０ａ、６１０ｂ及び６１０ｃの各々には、パネル体１２０の裏面１２４と当接する面に平板状の永久磁石が設けられている。当接片６１０ａ、６１０ｂ及び６１０ｃの各々に設けられた永久磁石によって、目隠しパネル６００をパネル体１２０の裏面１２４に吸着させることができ、目隠しパネル６００を安定させて配置することができる。
【０１１３】
目隠しパネル６００は、支持フレーム２００の２本の脚体２１０ａ及び２１０ｂと当接する４箇所に、平板状の永久磁石６０６ａ、６０６ｂ、６０６ｃ、６０６ｄが設けられている。永久磁石によって、目隠しパネル６００を脚体２１０ａ及び２１０ｂに吸着させることができ、目隠しパネル６００を安定させて配置することができる。
【０１１４】
目隠しパネル６００は、パネル体１２０の裏面１２４と当接する３箇所に凹部６０４ａ、６０４ｂ及び６０４ｃが形成されている。凹部６０４ａを形成したことにより、パネル１４０の取り付け辺１４６ｂ及びパネル１５０の取り付け辺１５６ａと干渉しないように、目隠しパネル６００を安定させて配置することができる。凹部６０４ｂを形成したことにより、パネル１５０の取り付け辺１５６ｂ及びパネル１６０の取り付け辺１６６ａと干渉しないように、目隠しパネル６００を安定させて配置することができる。凹部６０４ｃを形成したことにより、パネル１６０の取り付け辺１６６ｂ及び下パネルフレーム１１２ｂと干渉しないように、目隠しパネル６００を安定させて配置することができる。
【０１１５】
＜＜角度調整パーツ７００＞＞
図１４は、角度調整パーツ７００の全体を示す斜視図である。角度調整パーツ７００は、図１５に示すように、載置パネル１００の中央パネルフレーム１１２ｅの最下端部と、支持フレーム２００の第３の連結体２２０ｃとの間に亘って取り付けられる。
【０１１６】
図１４に示すように、角度調整パーツ７００は、第１の端部７１０と第２の端部７２０とを有する。図１５に示すように、角度調整パーツ７００の第１の端部７１０は、載置パネル１００の中央パネルフレーム１１２ｅにネジによって着脱可能に連結され、角度調整パーツ７００の第２の端部７２０は、支持フレーム２００の第３の連結体２２０ｃに着脱可能に嵌合されて連結される。
【０１１７】
図１４に示すように、角度調整パーツ７００は、一定の長さで長尺な形状を有する。角度調整パーツ７００は、金属によって構成される。角度調整パーツ７００は、平板によって成形されており、断面がおおよそコの字状（Ｕ字状）の形状を有する。角度調整パーツ７００は、１つの長尺な天面７３０と、２つの長尺な側面７４０ａ及び７４０ｂとを有する。２つの側面７４０ａ及び７４０ｂは、互いに離隔しかつ平行に、かつ、天面７３０に対して垂直に形成されている。
【０１１８】
角度調整パーツ７００の第１の端部７１０では、２つの側面７４０ａ及び７４０ｂが長手方向に沿って延出している。側面７４０ａには、延出部７４２ａが形成されている。側面７４０ｂには、延出部７４２ｂが形成されている。２つの延出部７４２ａ及び延出部７４２ｂは、離隔して形成されており、２つの延出部７４２ａ及び延出部７４２ｂが向かい合う箇所に、間隙７４８が形成される。間隙７４８に、中央パネルフレーム１１２ｅの最下端部が嵌合される。
【０１１９】
延出部７４２ａには貫通孔７１２ａが形成され、延出部７４２ｂにはネジ穴７１２ｂが形成されている。中央パネルフレーム１１２ｅの最下部には貫通孔１１４（図５参照）が、下パネルフレーム１１２ｂの長手方向に沿って形成されている。延出部７４２ａの貫通孔７１２ａと、延出部７４２ｂのネジ穴７１２ｂと、中央パネルフレーム１１２ｅの貫通孔１１４とが連通するように、第１の端部７１０を中央パネルフレーム１１２ｅの最下部に取り付ける。互いに連通する貫通孔７１２ａとネジ穴７１２ｂと中央パネルフレーム１１２ｅの貫通孔１１４とに、ネジ（図１５参照）を挿通する。このようにすることで、角度調整パーツ７００の第１の端部７１０が、中央パネルフレーム１１２ｅの最下部から抜けにくい状態を形成することができる。
【０１２０】
角度調整パーツ７００の第２の端部７２０は、２つの側面７４０ａ及び７４０ｂが長手方向に対して垂直方向に沿って（下方に向かって）延出している。側面７４０ａには、延出部７４４ａが形成されている。側面７４０ｂには、延出部７４４ｂが形成されている。２つの延出部７４４ａ及び延出部７４４ｂは、離隔して形成されている。延出部７４４ａには、Ｕ字状の嵌合溝７４６ａが形成され、延出部７４４ｂには、Ｕ字状の嵌合溝７４６ｂが形成されている。嵌合溝７４６ａ及び嵌合溝７４６ｂは、下方向に開口しており、嵌合溝７４６ａ及び嵌合溝７４６ｂは、連通するように形成されている。嵌合溝７４６ａ及び嵌合溝７４６ｂに第３の連結体２２０ｃを嵌合することができ、角度調整パーツ７００の第２の端部７２０が、第３の連結体２２０ｃに着脱可能に連結される。このようにすることで、角度調整パーツ７００の第２の端部７２０が、第３の連結体２２０ｃから抜けにくい状態を形成することができる。
【０１２１】
角度調整パーツ７００の第２の端部７２０は、補強面７５０が形成されている。補強面７５０は、天面７３０と延出部７４４ａ及び延出部７４４ｂとを互いに連結する。補強面７５０と天面７３０との間が直角に、補強面７５０と延出部７４４ａとの間が直角に、補強面７５０と延出部７４４ｂとの間が直角になるように、補強面７５０は形成されている。補強面７５０を形成したことにより、第２の端部７２０に力が加えられた場合であっても、天面７３０と延出部７４４ａ及び延出部７４４ｂとが変形しないようにでき、第２の端部７２０の強度を高めることができる。
【０１２２】
中央パネルフレーム１１２ｅの下端部と、第３の連結体２２０ｃとの間に、角度調整パーツ７００を取り付けることによって、載置パネル１００の角度を鉛直に対して約８度に維持することができる。すなわち、載置パネル１００を約８度だけ斜め上向きに保持することができる。載置パネル１００を斜め上向きにすることによって、展示体ＥＸを見学者の目の方向に向けることができる。
【０１２３】
さらに、載置パネル１００と支持フレーム２００とのなす角を一定に保つことができる。載置パネル１００を安定して設置することができ、地震などの振動が生じても被展示物を保護しつつ、展示状態を維持することができる。
【０１２４】
＜＜固定用ブラケット８００＞＞
図１６（ａ）は、固定用ブラケット８００の全体を示す斜視図である。固定用ブラケット８００は、図１５に示すように、展示台Ｒに固定されるとともに、第３の連結体２２０ｃを着脱可能に保持する。載置パネル１００は、固定用ブラケット８００によって展示台Ｒに支持することができる。
【０１２５】
固定用ブラケット８００は、第３の連結体２２０ｃに取り付けるための連結体接続体８０２と、展示台Ｒに取り付けるための展示台接続体８０４とを有する。連結体接続体８０２は、展示台接続体８０４に２つのねじ８６０ａ及び８６０ｂによって取り付けられて、固定用ブラケット８００として一体化する。
【０１２６】
固定用ブラケット８００は、金属によって構成される。固定用ブラケット８００は、平板を折り曲げて成形されており、断面がおおよそコの字状（Ｕ字状）の形状を有する。固定用ブラケット８００は、１つの天面８１０と、２つの側面８２０及び８３０と、１つの接合面８４０とを有する。２つの側面８２０及び８３０は、互いに離隔しかつ平行に、かつ、天面８１０に対して垂直に形成されている。１つの天面８１０と、２つの側面８２０及び８３０によって、第３の連結体２２０ｃを保持して第３の連結体２２０ｃの移動を防止することができる。接合面８４０は、側面８３０から垂直方向に延出して形成されている。接合面８４０と側面８３０との間には、２つの補強部８５０ａ及び８５０ｂが形成されている。
【０１２７】
接合面８４０は、おおよそＵ字状の形状を有する。接合面８４０は、２つの脚部８４２ａ及び８４２ｂと、２つの脚部８４２ａ及び８４２ｂを連結する連結部８４４とを有する。２つの脚部８４２ａ及び８４２ｂは、互いに離隔し平行に配置されている。脚部８４２ａ及び８４２ｂの各々には、貫通孔８４６ａ及び８４６ｂが形成されている。２つの脚部８４２ａ及び８４２ｂは、連結部８４４から延出するように形成されている。
【０１２８】
２つの補強部８５０ａ及び８５０ｂは、接合面８４０と側面８３０とを互いに連結する。接合面８４０と側面８３０との間が９０度になるように形成されている。２つの補強部８５０ａ及び８５０ｂは、外から力や振動が加えられた場合でも、接合面８４０と側面８３０とが変形することを防止する。
【０１２９】
天面８１０と側面８２０及び８３０とによって、おおよそＵ字状の溝状の形状を有する溝部８６０が形成される。図１５及び図１６に示すように、溝部８６０に第３の連結体２２０ｃが挿嵌されて、第３の連結体２２０ｃを連結体接続体８０２に取り付けることができる。側面８２０及び８３０によって、第３の連結体２２０ｃが、前後方向に移動することを防止する。天面８１０によって、第３の連結体２２０ｃが、上方向に浮き上がることを防止する。
【０１３０】
図１６（ｂ）に示すように、美術館の展示台Ｒは突出部Ｅ及び間隙Ｄを有する。間隙Ｄは、展示体ＥＸを固定するために用いられる。図１５及び図１６（ａ）に示すように、展示台接続体８０４は間隙Ｄに挿入されて突出部Ｅに取り付けられる。
【０１３１】
展示台接続体８０４は、金属板によって構成される。展示台接続体８０４は、おおよそＵ字状の形状を有する。展示台接続体８０４は、２つの脚部８２２ａ及び８２２ｂと、２つの脚部８２２ａ及び８２２ｂを連結する連結部８２４とを有する。２つの脚部８２２ａ及び８２２ｂは、互いに離隔し平行に配置されている。脚部８２２ａ及び８２２ｂの各々には、ねじ孔８２６ａ及び８２６ｂが形成されている。２つの脚部８２２ａ及び８２２ｂは、連結部８２４から延出するように形成されている。
【０１３２】
展示台接続体８０４を、展示台Ｒの間隙Ｄに挿入し、２つの脚部８２２ａ及び８２２ｂが間隙Ｄから突出するように配置する。次に、第３の連結体２２０ｃ（載置パネル１００）を連結体接続体８０２に取り付け、展示台接続体８０４の脚部８２２ａに、連結体接続体８０２の脚部８４２ａを載置し、展示台接続体８０４の脚部８２２ｂに、連結体接続体８０２の脚部８４２ｂを載置し、ねじ孔８２６ａに貫通孔８４６ａが連通するように、ねじ孔８２６ｂに貫通孔８４６ｂが連通するように位置づける。貫通孔８４６ａを介してねじ孔８２６ａにねじ８６０ａを螺合し、貫通孔８４６ｂを介してねじ孔８２６ｂにねじ８６０ｂを螺合することによって、美術館の展示台Ｒに載置パネル１００を取り付けることができる。
【０１３３】
図１７は、美術館における展示パネル１０（展示体ＥＸ）と見学者との位置を示す略図である。
【０１３４】
一般的に美術館では、展示体ＥＸの保護の観点から、見学者から離隔した位置に展示体ＥＸが配置される場合が多い。また、展示体ＥＸは、吊設されて鉛直方向に沿って配置される場合が多く、見学者の視線の向きとは異なる方向に向かうように配置される。このため、見学者にとって展示体ＥＸを視認しやすい状態になっていない状態になり得る。
【０１３５】
展示パネル１０に展示体ＥＸを載置した場合には、図１６及び図１７に示すように、展示パネル１０は、固定用ブラケット８００によって、展示台Ｒの最も奥側の突出部Ｅに配置される。具体的には、支持フレーム２００第３の連結体２２０ｃが、展示台Ｒの最も奥側の突出部Ｅに位置するように、展示パネル１０が配置される。
【０１３６】
図１７に示すように、角度調整パーツ７００によって、鉛直に対して約８度で斜め上方向に向かうように載置パネル１００を見学者の視線に向かうように（見学者の目の位置に近づくように）傾けることができる（図１７の矢印Ａ参照）。さらに、上述したように、支持フレーム２００の第３の連結体２２０ｃが、展示台Ｒの最も奥側の突出部Ｅに位置するので、載置パネル１００を見学者の視線に向けて傾けた場合には、載置パネル１００は、見学者側に移動する。載置パネル１００を見学者側に移動させることによって、見学者に近づくように展示体ＥＸを変位させることができ、見学者は展示体ＥＸを視認しやすくできる。
【０１３７】
たとえば、展示パネル１０の高さＨを１メートルとした場合には、載置パネル１００を約８度で傾けることにより、パネル１６０の下側の辺１６６ｂを約１４ｃｍ（Ｗ１）分見学者に近づけることができる（図１７参照）。さらに、載置パネル１００を約８度で傾けることにより、支持フレーム２００も傾くので、パネル１６０の下側の辺１６６ｂは、全体として、突出部Ｅから１４＋Ｗ２（ｃｍ）近く、たとえば３０ｃｍ近く見学者に近づき、展示体ＥＸを見学者に近づけることができる（図１７参照）。
【０１３８】
上述した例では、載置パネル１００の形状を平坦な場合を示したが、全体として若干突出するように円滑に湾曲する形状にすることができる。展示体ＥＸの裏面の全体を載置パネル１００の表面に接触させることができ、接触面積を大きくすることにより、展示体ＥＸの裏面の全面を載置パネル１００によって支持することができ、展示体ＥＸの全体を保護することができる。
【符号の説明】
【０１３９】
ＥＸ  展示体
１０  展示パネル
１００  載置パネル
１２０  パネル体
２００  支持フレーム
５００  展示体支え
７００  角度調整パーツ
８００  固定用ブラケット
【図１】
2016043031.tif 000003
【図２】
2016043031.tif 000004
【図３】
2016043031.tif 000005
【図４】
2016043031.tif 000006
【図５】
2016043031.tif 000007
【図６】
2016043031.tif 000008
【図７】
2016043031.tif 000009
【図８】
2016043031.tif 000010
【図９】
2016043031.tif 000011
【図１０】
2016043031.tif 000012
【図１１】
2016043031.tif 000013
【図１２】
2016043031.tif 000014
【図１３】
2016043031.tif 000015
【図１４】
2016043031.tif 000016
【図１５】
2016043031.tif 000017
【図１６】
2016043031.tif 000018
【図１７】
2016043031.tif 000019